(57)【要約】【課題】上下風向変更羽根（の支持軸）と回転軸との間ですべりが生じないように構成し、駆動部によって上下羽根の回転動作を行い、気流制御を行う空気調和機を提供する。【解決手段】上羽根５ａの自由端側の支持軸１３に凹凸形状を設け、同じく凹凸形状を設けた上で付勢手段を搭載する回転軸１１に差し込む構成としたので、回転軸と上下風向変更羽根が確実に嵌め合い、上下風向変更羽根の支持軸と回転軸との間ですべりが生じないため、駆動部による上下羽根の回転動作を確実に行うことができる。【選択図】図８
2013087981.tif 000002
【特許請求の範囲】
【請求項１】
左右幅方向に形成し、風向を上下方向に変更可能な上下風向変更羽根の支持軸を軸支し、前記上下風向変更羽根を回動する回転軸を左右両端に形成し、一方の支持軸は回転駆動部に軸支し、他方の支持軸は回転軸に回転可能に軸支された空気調和機において、前記他方の支持軸は前記回転軸と固定されて一緒に回転し、前記回転軸を回転可能に保持する軸孔部を本体に形成することを特徴とした空気調和機。
【請求項２】
前記他方の支持軸と前記回転軸とは互いに凹凸部が形成されて嵌め合わされることを特徴とする請求項１記載の空気調和機。
【請求項３】
上下風向変更羽根の一方の支持軸と他方の支持軸の凹凸部の形状が異なることを特徴とする請求項１の空気調和機。
【請求項４】
前記他方の支持軸は前記回転軸の軸孔内に挿入されて固定したことを特徴とする請求項１から３のいずれか１項に記載の空気調和機。
【発明の詳細な説明】
【技術分野】
【０００１】
本発明は、付勢手段を備えた空気調和機に関する。
【背景技術】
【０００２】
従来、空気調和機の風向変更羽根はその片方の支持軸のみを回転駆動部によって保持し、他方の支持軸は回転保持となっている。その結果、羽根の剛性が弱い場合にはその左右で自重によるたわみ（ねじれ）が発生しやすいという欠点がある。
【０００３】
そこで、そのたわみを防止するために風向変更羽根の支持軸に吹出し口を閉じる方向に回転するような付勢力を与える弾性体を有するものが提案されている（例えば、特許文献１参照）。
【先行技術文献】
【特許文献】
【０００４】
【特許文献１】特開平３−２１１３５２号公報
【発明の概要】
【発明が解決しようとする課題】
【０００５】
上述した従来の付勢手段では、付勢手段が風向変更羽根に直接取り付けられているため、サービス対応時等に羽根を取り外した際は付勢手段も取り外す必要があり、手間がかかる。
【０００６】
本発明は、従来技術の有するこのような問題点に鑑みてなされたものであり、付勢手段を取り外すことなく風向変更羽根の奪着を可能にする空気調和機を提供することを目的としている。
【課題を解決するための手段】
【０００７】
上記目的を達成するために、本発明は、付勢手段を取り付ける回転軸とその回転軸に差し込む風向変更羽根の軸にそれぞれ凹凸部を形成し、本体に形成された軸孔部に回転軸を差し込んだ上でその両者を嵌め合わす構成としている。
【発明の効果】
【０００８】
本発明によれば、風向変更羽根の取替えなどのサービス対応時に付勢手段を取り外す必要がなくなる。
【図面の簡単な説明】
【０００９】
【図１】本発明に係る空気調和機の室内機の正面図
【図２】図１の運転停止時の室内機の縦断面図
【図３】図１の運転時の室内機の縦断面図
【図４】運転停止時の上下風向変更羽根自由端側の支持軸周辺拡大図
【図５】運転時の上下風向変更羽根自由端側の支持軸周辺拡大図
【図６】要部拡大図
【図７ａ】回転軸の差込形状部をたわませて挿入した図
【図７ｂ】引っ掛けと回転軸に付勢手段を取り付けた図
【図７ｃ】上羽根の軸を回転軸の内部に差し込んだ図
【図７ｄ】冶具を用いて付勢手段の付勢力を測定するときの状態図
【図８】回転軸と上下風向変更羽根の分解図
【発明を実施するための形態】
【００１０】
本発明は、左右幅方向に形成した上下風向変更羽根の支持軸を軸支し回転する回転軸を左右両端に形成し、一方の支持軸は回転駆動部に軸支し、他方の支持軸は回転軸に回転可能に軸支した上で、他方の支持軸は回転軸と固定されて一緒に回転し、回転軸を回転可能に保持する軸孔部を本体に形成している。
【００１１】
具体的には、他方の支持軸と回転軸とは互いに凹凸部が形成されて嵌め合わされている。これらの構成により、上下風向変更羽根の空気調和機本体への組み付け作業性が向上するだけでなく、回転軸と上下風向変更羽根が確実に嵌め合い、なおかつ、空気調和機から上下風向変更羽根を取り外した際にも付勢手段を取り外す必要はなくなる。また上下風向変更羽根の支持軸と回転軸との間ですべりが生じないため、駆動部による上下羽根の回転動作を確実に行うことができる。
【００１２】
さらに、上下風向変更羽根の一方の支持軸と他方の支持軸の凹凸部の形状が異なっている。
【００１３】
これにより、上下風向変更羽根の左右幅方向の差し込み間違いを防止できる。また、上下風向変更羽根の支持軸は回転軸の軸孔内に挿入されて固定している。
【００１４】
これにより、回転軸の本体軸孔部への差込形状部が内側にたわむことがなくなるため、上下風向変更羽根を取り外さない限り回転軸が軸孔から外すことはできなくなり、空気調和機の運転中に回転軸が外れるといった問題を防止できる。
【００１５】
以下、本発明の実施の形態について、図面を参照しながら説明する。
【００１６】
一般家庭で使用される空気調和機は、通常冷媒配管で互いに接続された室外機と室内機とで構成されており、図１〜図３は、本発明に係る空気調和機の室内機を示している。
【００１７】
室内機は、本体１と、本体１の前面開口部を開閉自在の可動前面パネル（以下、単に前面パネルという）２を有しており、空気調和機停止時は、前面パネル２は本体１に密着して前面開口部を閉じているのに対し、空気調和機運転時は、前面パネル２は本体１から離反する方向に移動して前面開口部２ａを開放する。なお、図１および図２は前面パネル２が前面開口部２ａを閉じた状態を示しており、図３は前面パネル２が前面開口部２ａを開放した状態を示している。
【００１８】
図１〜図３に示されるように、本体１の内部には、前面開口部２ａ及び上面開口部２ｂから取り入れられた室内空気を熱交換する熱交換器３と、熱交換器３で熱交換された空気を搬送するための室内ファン４と、室内ファン４により搬送された空気を室内に吹き出す吹出口を開閉するとともに空気の吹き出し方向を上下に変更する上下風向変更羽根（以下、単に「上下羽根」という）５と、空気の吹き出し方向を左右に変更する左右風向変更羽根（以下、単に「左右羽根」という）６とを備えており、前面開口部２ａ及び上面開口部２ｂと熱交換器３との間には、前面開口部２ａ及び上面開口部２ｂから取り入れられた室内空気に含まれる塵埃を除去するためのフィルタが設けられている。
【００１９】
また、前面パネル２上部は、その両端部に設けられた２本のアーム７を介して本体１上部に連結されており、アーム７に連結された駆動モータ（図示せず）を駆動制御することで、空気調和機運転時、前面パネル２は空気調和機停止時の位置（前面開口部２ａの閉塞位置）から前方斜め上方に向かって移動する。
【００２０】
さらに、上下羽根５は、上羽根５ａと下羽根５ｂとで構成されており、それぞれ本体１下部に揺動自在に取り付けられている。上羽根５ａ及び下羽根５ｂは、その回転軸の一方を別々の駆動源（例えば、ステッピングモータ）に連結されており、室内機に内蔵された制御装置（例えばマイコン）によりそれぞれ独立して角度制御される。
【００２１】
ここで、上下羽根５は３枚以上の上下羽根で構成することも可能で、この場合、少なくとも２枚（特に、最も上方に位置する羽根と最も下方に位置する羽根）は独立して角度制御できるのが好ましい。
【００２２】
また、左右羽根６は、室内機の中心から左右に複数枚ずつ配置されており、それぞれ本体１の下部に揺動自在に取り付けられている。また、左右の複数枚を一つの単位として別々の駆動源（例えば、ステッピングモータ）に連結されており、室内機に内蔵された制御装置により左右複数枚の羽根がそれぞれ独立して角度制御される。
【００２３】
図４および図５は、上羽根５ａの回転可能に軸支された支持軸（回転軸で駆動源に連結されていない側）周辺の拡大図であり、図４は空気調和機停止時の状態を、図５は空気調和機運転時の状態（一例）を示している。
【００２４】
図４および図５に示されるように、上羽根５ａの自由端側の支持軸は、本体（吹き出しグリル）９の摺動部に接するように差し込まれた回転軸１１に取り付けられ、その回転軸１１には付勢手段８（例えばコイルバネ）が本体（吹き出しグリル）９の引っ掛け１２と連結するように搭載されている。
【００２５】
上羽根５ａの一方の支持軸のみが駆動源に連結され、他方の支持軸は回転軸に回転可能に支持されている結果、回転可能な支持軸が上羽根５ａの自重によってその羽根が開く方向に回転し、上羽根５ａの左右方向でたわむのを防止するためにこの付勢手段８が搭載されているが、これは特に上羽根５ａが空気調和機の左右幅方向に長い場合や、あるいは上羽根５ａの曲率が大きい場合等、その剛性が低い場合にたわみを防止するのに非常に有効である。
【００２６】
ここで、図６を用いて回転軸１１の詳細形状を説明する。αは回転軸１１の摺動面であり、差込形状部γをたわませた状態で吹き出しグリル９の軸１３に差し込まれる。βは付勢手段８が配置される部分であり、さらにβ側の端部δに切り込み形状を与えることにより、その切り込み部に測定装置（例えばトルクゲージ）を取り付けるための冶具等を接続することが可能となる。これにより、図７ｄに示されるように、付勢手段を組み込んだ後に冶具１４を介して測定装置を取り付けることが出来るため、付勢手段を取り外すことなくその付勢力の確認を行うことが出来る。また、υは付勢手段８の一端を取り付けるための部分であり、付勢手段８の弾性力によってその端部に応力がかかり破壊してしまわないよう、コーナー部には極力大きなＲを付けている。
【００２７】
なお、付勢力の確認には冶具１４を用いることなく、測定装置を回転軸１１の切り込みγに直接差し込んでもよい。また、切り込み形状は図８に示される形状でなくてもよい（例えば＋形状）。
【００２８】
さらに、回転軸１１は、空気調和機の本体（吹き出しグリル）９に形成された軸孔部１０と接して回転するため、軸孔部１０との摩擦が小さくなるようにする必要がある。また、運転停止時においても常に付勢手段８の弾性力がかかり続けることから強度（剛性）も必要である。このような理由から、その材質はポリアセタール樹脂（ＰＯＭ）が好ましい。
【００２９】
ここで、上羽根５ａの自由端側の組み立て方法を記載する。
【００３０】
空気調和機の本体（吹き出しグリル）９に形成された軸孔部１０に、回転軸１１をその差込形状部（図６のυ）をたわませて挿入した（図７ａ）後、本体（吹き出しグリル）９に存在する引っ掛け１２と回転軸１１に付勢手段８を取り付け（図７ｂ）、最後に上羽根５ａの軸１３を回転軸１１の内部に差し込む（図７ｃおよび図８）。なお、図８においては分かりやすいように回転軸１１と上羽根５ａ以外は省略してある。このように付勢手段８を回転軸１１と本体（吹き出しグリル）９に存在する引っ掛け１２に取り付けることにより、サービス等で上羽根５ａを取り外しても付勢手段８には影響が及ばず、サービス性の悪化が生じない。
【００３１】
なお、本体（吹き出しグリル）９の引っ掛け１２と回転軸１１に付勢手段８を取り付けた（図７ｂ）後、冶具を用いて付勢手段８の付勢力を測定してもよい（図７ｄ）。
【００３２】
ここで、図８に示すように、回転軸１１と上羽根５ａの軸１３にはお互いに凹凸形状が形成されているため、回転方向に決まった角度でしか取り付けが出来ないようになっている。さらに、上羽根５ａの凹凸形状は、回転駆動部に軸支するための凹凸形状とは異なっている。加えて、上羽根５ａの軸１３が回転軸１１の中に入り込むことにより、回転軸１１の差込形状部（図６のδ）が内側にたわむことがなくなるため、常に摺動部１０に引っ掛かった状態となり、上羽根５ａを外さない限り回転軸１１が摺動部１０から外れることはない。
【００３３】
なお、上記組み立て順序は一例であり、上羽根５を取り付けた後に付勢手段８を取り付けてもよく、さらに最後（上羽根５を取り付けた後）に付勢力を測定してもよい。
【産業上の利用可能性】
【００３４】
本発明に係る空気調和きは、付勢手段によってたわみを防止できるので、一般家庭で使用される空気調和機を含む様々な空気調和機として有用である。
【符号の説明】
【００３５】
１  室内機
２  前面パネル
３  熱交換器
４  室内ファン
５  上下風向変更羽根
６  左右風向変更羽根
７  アーム
８  付勢手段
９  吹き出しグリル
１０  軸孔部
１１  回転軸
１２  引っ掛け
１３  軸
１４  冶具
【図１】
2013087981.tif 000003
【図２】
2013087981.tif 000004
【図３】
2013087981.tif 000005
【図４】
2013087981.tif 000006
【図５】
2013087981.tif 000007
【図６】
2013087981.tif 000008
【図７ａ】
2013087981.tif 000009
【図７ｂ】
2013087981.tif 000010
【図７ｃ】
2013087981.tif 000011
【図７ｄ】
2013087981.tif 000012
【図８】
2013087981.tif 000013